(57)【要約】【課題】ベッド装置上における患者の位置に応じて、ベッド動作を適切に制御することにより、より安全性の高いベッド装置を提供すること。【解決手段】操作入力を受け付ける操作部と、操作入力に応じてベッドの動作を制御する制御部と、ベッド上における患者の位置を検出する検出部と、を備え、検出部により検出された患者の位置が、ベッド装置上において制限領域として設定された領域に含まれているとき、操作部により操作入力が受け付けられた場合には、ベッドの動作を制限することを特徴とする。【選択図】図２
2019022807.tif 000002
【特許請求の範囲】
【請求項１】
複数の第１セルと複数の第２セルとを含み、前記複数の第１セルそれぞれは第１方向に延び、前記複数の第２セルそれぞれは前記第１方向に直行する第２方向に延び、前記複数の第１セルは前記複数の第２セル上に配置されたエアマットレスと、
操作入力を受け付ける操作部と、
前記操作入力に応じて前記エアマットレスを制御する制御部と、
前記エアマットレスの状態を検出する検出部と、
を備え、
前記制御部は、
前記エアマットレスの状態が第１の状態の場合に、前記操作部が第１操作を受け付けたとき、前記エアマットレスの動作を制限することを特徴とするベッド装置。
【請求項２】
前記ベッド装置は、さらに記憶部を含み、
前記記憶部は、前記第１の状態、前記第１操作、前記エアマットレスの動作の制限する内容を対応づけて記憶することを特徴とする請求項１記載のベッド装置。
【請求項３】
前記ベッド装置は、さらに報知部を含み、
前記制御部が前記エアマットレスの動作を制限したとき、前記報知部は、操作者に注意喚起を報知することを特徴とする請求項１または請求項２に記載のベッド装置。
【請求項４】
前記報知部は、表示部を含み、
前記報知部は、操作者に注意喚起を報知するとき、前記エアマットレスの動作を継続する指示を示す第１表示と、前記エアマットレスの動作を中止する指示を示す第２表示とを併せて前記表示部に表示することを特徴とする請求項３記載のベッド装置。
【請求項５】
前記制御部は、前記操作者により前記エアマットレスの動作を継続する指示が選択されたとき、前記エアマットレスを再度動作させることを特徴とする請求項４記載のベッド装置。
【発明の詳細な説明】
【技術分野】
【０００１】
本発明は、ベッド装置に関する。
【背景技術】
【０００２】
ベッド装置は、例えば、ボトム部に連結されたアクチュエータを動作させることにより、ベッドモードとして患者に適切な状態に変化させたり、患者の姿勢に応じてボトム部の形状を変化させたりすることにより、背上げや膝上げといった各種動作を実現することが可能である。
【０００３】
ここで、ベッド装置においては、患者にとってリスクのある操作を予め禁止出来るような機能（ベッド操作禁止機能等）が知られている。ベッド操作禁止機能を用いると、予め所定の操作を禁止設定していくことで、ベッド装置を操作する者（操作者）が所定の操作を行うことにより、例えば患者がベッド装置から転落してしまうといった危険な動作を回避することができる。
【０００４】
更に、ベッド装置上の患者の位置を検出し、患者が危険な位置にいる場合には警報を出す発明が知られている（例えば、特許文献１参照）。これにより、患者がベッド装置から転落したり、ベッドに挟み込まれたりする危険性のある位置にいる場合には、操作者に報知することが可能となる。
【先行技術文献】
【特許文献】
【０００５】
【特許文献１】特開２００８−２０６８６９号公報
【発明の概要】
【発明が解決しようとする課題】
【０００６】
しかし、患者が危険な位置（リスクの高い位置）にいる場合に警報を出したとしても、操作者が手動で停止動作や、患者の位置を調整する必要があった。そのために、ベッド装置を動作させる場合には、操作者が常に患者及びベッド装置を注意して見ている必要があり、負担が大きかった。
【０００７】
特に、例えば背上げ動作時の挟み込み防止といった予めリスクが想定される場合はまだしも、操作者が認識出来ないリスクに対しては、操作者が常にベッド装置に注意して見ている必要があり、とくに負担が大きかった。
【０００８】
また、従来ベッド装置は、病院や介護施設において医療関係者や介護施設関係者といった操作に慣れた者が操作することが多かった。しかし、近年在宅介護等の普及により、家庭で利用される場面も増えてきている。このような場合、操作者が家族といったベッド装置の操作に慣れていない者が利用することとなる。そのため、安全性を確保するために、常に患者及びベッド装置を見ている必要があり、負担が大きかった。更に、操作に慣れた者と比較して動作停止までに時間がかかり、リスクが高くなってしまうという問題点が生じていた。
【０００９】
上述した課題に鑑み、本発明の目的は、ベッド装置上における患者の位置に応じて、ベッド動作を適切に制御することにより、安全性の高いベッド装置を提供することである。
【課題を解決するための手段】
【００１０】
上述した課題を解決するために、本発明のベッド装置は、複数の第１セルと複数の第２セルとを含み、前記複数の第１セルそれぞれは第１方向に延び、前記複数の第２セルそれぞれは前記第１方向に直行する第２方向に延び、前記複数の第１セルは前記複数の第２セル上に配置されたエアマットレスと、操作入力を受け付ける操作部と、前記操作入力に応じて前記エアマットレスを制御する制御部と、前記エアマットレスの状態を検出する検出部と、を備え、前記制御部は、前記エアマットレスの状態が第１の状態の場合に、前記操作部が第１操作を受け付けたとき、前記エアマットレスの動作を制限することを特徴とする。
【発明の効果】
【００１１】
本発明によれば、操作入力を受け付ける操作部と、操作入力に応じてベッドの動作を制御する制御部と、ベッド上における患者の位置を検出する検出部と、を備え、前記検出部により検出された患者の位置が、前記ベッド装置上において制限領域として設定された領域に含まれている場合には、前記操作部により操作入力が受け付けられても、前記ベッド動作を制限することを特徴とする。すなわち、操作入力がされた場合でも、患者の位置に応じて、ベッド装置の動作を適切に制御することが可能となる。
【図面の簡単な説明】
【００１２】
【図１】本実施形態におけるベッド装置の全体構成を説明するための図である。
【図２】第１実施形態におけるベッド装置の機能構成を説明するための図である。
【図３】第１実施形態における制限テーブルのテーブル構成を説明するための図である。
【図４】第１実施形態における制限領域の説明をするための図である。
【図５】第１実施形態の処理について説明するための動作フローである。
【図６】第１実施形態における動作例を説明するための図である。
【図７】第１実施形態における報知例を説明するための図である。
【図８】第２実施形態における制限テーブルのテーブル構成を説明するための図である。
【図９】第２実施形態の処理について説明するための動作フローである。
【図１０】第３実施形態の構成を説明するための図である。
【図１１】第３実施形態における制限テーブルのテーブル構成を説明するための図である。
【図１２】第３実施形態の処理について説明するための動作フローである。
【発明を実施するための形態】
【００１３】
以下、図面を参照して本発明を実施するための最良の形態について説明する。なお、下記の実施形態は発明を説明するための一例であり、検知方法といった各種方法は本実施形態の記載に限定されないことは勿論である。
【００１４】
［１．第１実施形態］
［１．１  装置概略説明］
まず、本発明を適用したベッド装置全体の構成について図１を用いて説明する。図１は、本実施形態におけるベッド装置１の概略を説明するための図である。ベッド装置１は、ボトム部が動作することにより、背上げ、脚上げ、膝上げ等の各種動作が可能なベッド装置である。ベッド本体の上にマットレスが載置されて構成されている。
【００１５】
また、ベッド装置の動作を操作するための操作部１３０が接続されている。操作者は、操作部１３０を操作することにより、ベッド装置の動作を制御することができる。また、操作部１３０には、ベッド装置の状態を表す報知部１４０が含まれている。
【００１６】
［１．２  機能構成］
続いて、ベッド装置１の機能構成について図２を用いて説明する。ベッド装置１は、図２に示すように、制御部１００に、状態検出部１１０と、位置検出部１２０と、操作部１３０と、報知部１４０と、ベッド制御部１５０と、記憶部１６０とが接続されている。
【００１７】
制御部１００は、ベッド装置１の全体を制御するための機能部である。制御部１００は、記憶部１６０に記憶されている各種プログラムを読み出して実行することにより各種機能を実現している。ここで、制御部１００は、例えばＣＰＵ（Central Process Unit）等により構成されている。
【００１８】
状態検出部１１０は、ベッド装置１における各種状態を検出するための機能部である。例えば、圧力センサの状態を検出したり、アクチュエータの動作信号を検出したりすることによって状態を検出する。ここで、検出される状態としては、例えばベッドの背上げ角度や、足下げ角度であったり、ベッドモードであったりと種々の状態を検出することが可能である。
【００１９】
ここで、本実施形態におけるベッドモードとは、ベッドの動作モードを表すものである。ベッドモードとしては種々のモードを備えているが、例えば、ベッド装置の端部に患者が座るのに適切な端座位モードである。操作部で端座位モードを選択し実行すると、端部に座れるようベッド装置のボトム部が水平になるよう動作し、ベッドの高さも調整される。また、エアマットレスが接続されている場合は、患者が座る箇所の空気を排出し、安定した座位が取れるように動作する。すなわち、選択されたベッドモードに応じて、ベッド装置が背上げ機能、足下げ機能、エアマットレスの調整等が自動的に行われることとなり、利用者が目的の使い方をするために必要な動作を、一つの操作で、総て実行出来る動作制御のことをいう。
【００２０】
位置検出部１２０は、ベッド装置上の患者の位置を検出する機能部である。位置検出部１２０は、患者がいる位置の範囲を検出してもよいし、重心の位置を検出することとしても良い。また、検出方法としては、例えばベッド装置（ベッド本体）に設けられた荷重センサによる値から患者の位置を算出しても良いし、圧力センサを用いて患者の位置を検出しても良いし、赤外線センサや、温度センサを用いて患者の位置を検出しても良い。すなわち、ベッド装置（例えば、マットレス上）のどの位置に患者が存在するかを検出するための機能部である。
【００２１】
操作部１３０は、操作者がベッド装置１を操作するための機能部である。例えば、ベッド装置１の制御装置と、有線や無線で接続されたり、ベッド装置に直接設けられたりしている。操作部１３０に設けられた操作ボタンによって操作者から操作指示が受け付けられる。そして、受け付けられた操作指示に基づいてベッド装置１が動作することとなる。また操作部１３０としては、例えばキー入力や、タッチパネル、音声入力といった公知の入力部を備えていれば良い。
【００２２】
報知部１４０は、ベッド装置１の状態を報知したり、操作内容を報知したり、所定の操作に対する警告を報知したりするための機能部である。報知部１４０としては、例えば液晶パネル等の表示部や、スピーカ等の音出力部等といった公知の報知部を備えていれば良い。また、アラーム音（警報音）を出力するといった構成であっても良い。
【００２３】
ベッド制御部１５０は、ベッド装置１の動作を制御するための機能部である。例えば、ベッド本体の各ボトム部に接続されたアクチュエータを制御することにより、背上げ動作等の制御を行う機能部である。
【００２４】
記憶部１６０は、ベッド装置１の動作に必要な各種プログラムや、各種データが記憶されている機能部である。記憶部１６０は、例えば、半導体メモリや、ＨＤＤ（Hard Disk Drive）等により構成されている。
【００２５】
また、記憶部１６０には、制限テーブル１６２が記憶されている。制限テーブル１６２の一例を図３に示す。図３に示すように、制限テーブル１６２は、制限領域設定（例えば、「Ｒ１２」）と、ベッド操作内容（例えば、「膝上げ操作」）と、制限内容（本実施形態では、報知動作（例えば、「ＯＮ」）及びベッド動作（例えば、「一時停止」））とが記憶されている。
【００２６】
ここで、制限領域とは、ベッド装置（マットレス）において設定される領域である。この制限領域において患者が検出されることにより、各種制限処理が実現される。例えば、図４に示すように、ベッド装置（マットレス）上の所定の範囲が制限領域として設定される。例えば、領域Ｒ１２や領域Ｒ１４の位置が制限領域としてそれぞれ設定されている。
【００２７】
制限領域として設定する方法としては、本実施形態は一例としてベッド装置（マットレス）をＸＹ座標とし、このＸＹ座標の中で所定の範囲を制限領域として設定する。なお、他にも例えばボトム部毎に制限領域として設定しても良いし、圧力センサから所定割合以上の荷重が検出されることを設定しても良い。すなわち、患者の位置が検出できる方法であれば、何れの方法であっても良い。
【００２８】
［１．３  処理の流れ］
続いて本実施形態の処理の流れについて図を用いて説明する。図５は、本実施形態における処理について示したフローである。
【００２９】
まず、ベッド操作があったか否かを判定する（ステップＳ１０２）。操作者によりベッド操作がなされた場合には（ステップＳ１０２；Ｙｅｓ）、患者の位置を検出する（ステップＳ１０４）。患者の位置は、位置検出部１２０により検出されることとなる。
【００３０】
続いて、ステップＳ１０４により検出された患者位置と、操作者によりされたベッド操作に応じて、制限テーブル１６２より制限内容を読み出す（ステップＳ１０６）。ここで、ベッド動作の制限が不要と判定された場合には（ステップＳ１０８；Ｎｏ）、通常のベッド動作を実行する。
【００３１】
他方、ベッド動作の制限が必要と判定された場合には（ステップＳ１０８；Ｙｅｓ）、ベッド動作の制限処理を実行する。すなわち、制限領域及びベッド操作内容とに対応するベッド動作に関する制限内容を制限テーブル１６２により読み出して判定する。まず、ベッド動作が「一時停止」であるか否か判定する（ステップＳ１１０）。ベッド動作が「一時停止」である場合には、ベッドの動作を一時停止する（ステップＳ１１０；Ｙｅｓ→ステップＳ１１２）。
【００３２】
続いて、報知動作が「ＯＮ」の場合には（ステップＳ１１４；Ｙｅｓ）、報知処理を実行する（ステップＳ１１６）。報知処理とは、例えば画面上に警告を表示したり、警報音（アラーム音）を出力したりする処理をいう。
【００３３】
つづいて、操作者の確認があったか否かを判定する（ステップＳ１１８）。ここで、操作者の確認を検知した場合には（ステップＳ１１８；Ｙｅｓ）、確認内容に応じてベッド動作を継続したり、中止したりする（ステップＳ１２０）。
【００３４】
これにより、操作者が患者の状態を確認し、危険性が低いと判断されれば動作を継続できるし、危険性が高いと判断されれば動作を中止する。また、この間、ステップＳ１１２において、動作が一時停止となっている場合には、危険性の高い動作は一時停止していることから、より安全なベッド装置が提供されることとなる。
【００３５】
［１．４  動作例］
続いて、本実施形態の動作例について図を用いて説明する。図６は、ベッド装置１において、患者Ｐが端座位でいる場合について示す図である。患者Ｐが端座位であることから、患者の位置が領域Ｒ１２で検知されることとなる。
【００３６】
このとき、操作者により「膝上げ操作」がなされると、そのままでは患者Ｐがベッド装置１から転落する危険性がある。したがって、脚上げ動作が行われる前に、ベッド動作が一時停止となり（図５のステップＳ１１２）、報知処理が行われる（図５のステップＳ１１６）こととなる。
【００３７】
この状態における報知部１４０において表示される表示画面Ｗ１００の一例を図７（ａ）に示す。図７（ａ）は、領域Ｒ１００に警告表示を行っており、操作者に動作の確認を求めている。このとき、操作者が患者を移動させる等を行い、転落する危険性がない場合はそのままベッド操作を継続するために、領域Ｒ１０２に表示されているボタンを選択する。
【００３８】
他方、患者Ｐが領域Ｒ１２にいて危険であると判定された場合には、ベッドの動作を中止するために領域Ｒ１０４に表示されているボタンを選択する。なお、このときに併せてアラーム音を出力することにより、操作者に対して明確に報知することとしても良い。
【００３９】
また、図７（ｂ）は、異なる表示画面Ｗ１１０の例を示している。例えば、ベッド動作は一時停止では無いが、報知動作だけ「ＯＮ」となっている場合、報知処理は実行されるが、ベッドは継続して動作することとなる。
【００４０】
このように、本実施形態によれば、ベッド装置上での患者の位置と、操作者が操作したベッドの操作内容に応じて、ベッド装置の動作を制限することが可能となる。例えばベッド装置の動作を一時停止したり、報知処理を実行したりすることが可能となる。これにより、患者の位置に応じてベッドの装置の動作が制限されるといった、より安全性の高いベッド装置を提供することが可能となる。
【００４１】
［２．第２実施形態］
続いて第２実施形態について説明する。第１実施形態では、患者の位置とベッド操作の内容とに基づいてベッド動作の制限を行ったが、第２実施形態では、ベッドモードとベッド操作の内容とに基づいてベッド動作の制限を行うこととする。
【００４２】
第２実施形態は、第１実施形態において説明した制限テーブル１６２の代わりに、図８に示す制限テーブル１６４を記憶している。
【００４３】
図８の制限テーブル１６４は、ベッドモードと、ベッド操作内容と、報知動作と、ベッド制御とを対応づけて記憶している。すなわち、第１実施形態の制限テーブル１６２の制限領域の代わりに、ベッドモードを記憶している。
【００４４】
ベッドモードは、ベッドが動作する上での動作モードを表すものである。例えば、「端座位モード」であれば、患者が端座位を取るのに適したモードである。
【００４５】
なお、第２実施形態のベッド装置の構成は、第１実施形態において説明した図２のベッド装置の構成と同一であるため、その説明を省略する。なお、図２において説明した第１実施形態の機能構成図のうち、位置検出部１２０は、本実施形態においては含まなくても良い。
【００４６】
図９は、本実施形態における処理の流れを説明するための図である。本実施形態における処理の流れは、第１実施形態で説明した図５の処理のうち、ステップＳ１０４〜ステップＳ１０８をステップＳ２０２〜ステップＳ２０６に置き換えたものである。他の同一の符号を付した処理は、第１実施形態と同様の処理であるため、その説明を省略する。
【００４７】
まず、ステップＳ１０２でベッド操作があったことを検出すると、現在のベッドモードを検出する（ステップＳ２０２）。そして、検出されたベッドモードと、操作内容とに対応して制限内容を制限テーブル１６４から読み出す（ステップＳ２０４）。
【００４８】
ここで、ベッド動作の制限が不要の場合は、通常のベッド動作を行い（ステップＳ２０６；Ｎｏ）、ベッド動作の制限が必要な場合は、ステップＳ１１０から処理を実行する（ステップＳ２０６；Ｙｅｓ）。
【００４９】
このように、第２実施形態によれば、操作内容と、ベッドモードとに対応づけて、ベッドの動作を制限したり、報知処理を実行したりすることができる。従って、ベッドモードに適した動作のみが実行され、より安全性の高いベッド装置が提供されることとなる。
【００５０】
［３．第３実施形態］
続いて、第３実施形態について説明する。第３実施形態は、ベッドの状態に基づいて、ベッド機能が制限される場合について説明する。
【００５１】
［３．１  構成］
まず、本実施形態におけるベッド装置と、エアマットレス等の状態を図１０を用いて説明する。
【００５２】
ベッド装置は、ベース３０の上に、マット本体１０が載置されている。ここで、マット本体１０は、複数のセル１４が長手方向に連続して配置され構成されている。そして、トップカバーとボトムカバーにより構成されているカバー１２により覆われることによりマット本体１０が構成されている。
【００５３】
また、ベッド装置１は、ローリング部２０を有して構成されている。ローリング部２０は、サイドセル２２と、ローリングセル２４とを有しており、患者の体位を変換するために用いられる。
【００５４】
ここで、ベッド装置１は、患者の足側が図１０のＦ方向（制御部４０側）、頭側が図１０のＨ方向となるように利用される。したがって、患者の右側が図１０のＲ方向、左側が図１０のＬ方向となる。
【００５５】
また、サイドセル２２は、右側にあるサイドセル２２Ｒと、左側にあるサイドセル２２Ｌとから構成されている。また、ローリングセル２４は、右側にあるローリングセル２４Ｒと、左側にあるローリングセル２４Ｌとから構成されている。
【００５６】
そして、各セル（セル１４、サイドセル２２、ローリングセル２４）には、制御部４０から送風チューブ４２が接続されている。また、制御部４０には、ポンプ部５０から送風チューブ４４が接続されている。更に、制御部４０と、ポンプ部５０とは、制御ケーブル５２で接続されており、各種制御信号がやり取りされる。また、ポンプ部５０は、外部から制御ケーブル５４が接続されており、ポンプを駆動させるための電源ケーブル５６が接続されている。
【００５７】
各セル１４は複数の組となった系統に別れて連通路として共通の送風チューブ４２に接続されている。送風チューブ４２は、送風チューブ接続コネクタを介して切替弁に接続されており、切替弁は送風チューブを介してポンプ部５０と接続されている。そして、ポンプ部５０及び切替弁の動作により各セルの給排気が行われる。
【００５８】
この各セル１４の給排気動作と同様にサイドセル２２及びローリングセル２４も送風チューブ４２が接続され、送風チューブ４２を介して切替弁に接続されている。そして、切替弁は送風チューブ４４を介してポンプ部５０に接続されており、給排気が行われる。
【００５９】
なお、連通路である送風チューブ４２、ポンプ部５０から一本出力されて各セルに分岐して入力される構成であっても良いし、ポンプ部５０から複数本出力されることとしても良い。すなわち、各セルを連通させる動作を行う場合に、各セルの圧力値が同一となるような構成であれば良い。
【００６０】
続いて、第３実施形態におけるベッド装置の機能構成について説明する。第３実施形態のベッド装置は、図２で示した第１実施形態の機能構成と同一である。しかし、第１実施形態において説明した制限テーブル１６２の代わりに、図１１に示す制限テーブル１６６を記憶している点が異なっている。
【００６１】
図１１の制限テーブル１６６は、ベッド状態（例えば、「背上げ角度＞５度」）と、ベッド機能（例えば、「ローリング機能」）と、ベッド制限内容（例えば、「ローリング機能を実行せず報知処理を行う）とを対応づけて記憶している。
【００６２】
ベッド状態とは、ベッド装置、マットレス（例えば、本実施例であればセル１４の給気・排気状態等）、患者の在床・離床状態、患者の位置、ベッドのボトム部の状態といった中で、後述するベッド機能を制限する場合の判定条件を記憶している。
【００６３】
ベッド機能とは、ベッド装置を種々の動作を行う為の機能を記憶している。例えば、ローリング機能であれば、ローリングセル２４Ｌ、ローリングセル２４Ｒを交互に給排気することにより患者の体位変換を行う機能である。
【００６４】
ベッド制限内容とは、実際にベッド装置の機能や動作に対してどのような制限を行うかを記憶している情報である。例えば、第１実施形態のように各動作に分けて記憶しても良いし、本実施形態のように包括的に記憶しても良い。
【００６５】
図１２は、本実施形態における処理の流れを説明するための図である。まず、利用者からベッド機能の操作があったか否かを検出する（ステップＳ３００）。ここで、何らかのベッド機能の操作がなされた場合には、ベッド状態を検出する（ステップＳ３０２）。
【００６６】
ここで、ベッド状態の検出は、種々の項目が検出される。例えば、ボトム部の角度であったり、患者の位置であったり、マット本体１０におけるセル１４の内圧値であったりする。そして、検出されたベッドの状態と、ステップＳ３００において検出されたベッド状態に基づいて、制限テーブル１６６から制限内容を確認する（ステップＳ３０４）。
【００６７】
ベッド機能の実行に制限が必要ない場合は、通常のベッド機能が実行されるが（ステップＳ３０６；Ｎｏ）、ベッド機能の実行に制限が必要な場合は、制限テーブル１６６から、制限内容を読み出す（ステップＳ３０８）。なお、ステップＳ３０８は、ステップＳ３０４において制限内容を既に読み出している場合は実行する必要は無い。
【００６８】
続いて、制限内容に基づいてベッド機能を制御する（ステップＳ３１０）。例えば、ベッド機能の実行を一時停止（又は中止）し、利用者に対して報知処理を実行する。
【００６９】
ここで、操作者から確認の入力があった場合には（ステップＳ３１２；Ｙｅｓ）、確認内容に基づいて、ベッド機能を継続して実行したり、中止したりする。
【００７０】
このように、本実施形態によれば、ベッド機能を実行する場合に、現在のベッド装置の状態を検出し、当該ベッド装置の状態に基づいてベッド機能を実行したり、中止したりすることが可能となる。
【００７１】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００７２】
なお、上述した実施形態においては、患者の位置検出を処理の最初に検出することとして説明したが、例えば、所定時間間隔毎に随時検出することとしても良い。すなわち、図５の動作フローにおいて、ステップＳ１０８において、ベッド動作の制限が不要と判定された場合（ステップＳ１０８；Ｎｏ）、通常のベッド動作を実行しつつ、ステップＳ１０４から繰り返し処理を実行する。これにより、ベッドの動作中に患者が制限領域に移動した場合であっても、適切にベッド動作の制限や、報知処理を行うことが可能となる。
【００７３】
また、上述した実施形態については、説明の都合上第１実施形態（第２実施形態）でウレタン状のマットレス、第３実施形態でエアマットレスを用いることとして説明したが、マットレスの種類に限定されるものではないことは勿論である。すなわち、第１実施形態（第２実施形態）においてエアマットレスを利用しても良いし、第３実施形態でウレタン状のマットレスを利用しても良い。
【００７４】
なお、本発明の目的は、患者又はベッド装置の状態に応じて、ベッド動作に伴う危険性を報知するだけでなく、ベッドの動作を制限するといったより安全性の高いベッド装置を提供することも実現される。
【００７５】
そのために、ベッド装置を以下のような構成としても良い。
操作入力を受け付ける操作部と、前記操作入力に応じてベッド動作を制御する制御部と、前記ベッド装置上における患者の位置を検出する検出部と、前記ベッド装置上において制限領域として設定された領域に対応づけて、前記ベッド装置の操作内容と、前記ベッド動作を停止する制限内容とを対応づけて記憶する制限テーブルと、を備え、前記制御部は、前記検出部により検出された患者の位置が前記制限領域に含まれている場合に、前記操作部により操作入力が受け付けられると、前記制限テーブルに従って前記ベッド動作を停止する構成とする第１のベッド装置。
【００７６】
操作入力を受け付ける操作部と、前記操作入力に応じてベッド動作を制御する制御部と、前記制御部によって、少なくとも端座位又は移乗に適した形状となるように前記ベッド装置を動作させるためのベッドモードに対応づけて、前記ベッド装置の操作内容と、前記ベッド動作を停止する制限内容とを対応づけて記憶する制限テーブルと、を備え、前記制御部は、前記ベッド装置の状態として、前記制限テーブルに記憶されているベッドモードの場合に、前記操作部により前記制限テーブルに記憶されている操作入力が受け付けられると、前記制限テーブルに従って前記ベッド動作を停止する構成とする第２のベッド装置。
【００７７】
操作入力を受け付ける操作部と、前記操作入力に応じてベッド動作を制御する制御部と、前記ベッド装置の状態に対応づけて、前記ベッドの動作と、前記ベッドの動作を停止する制限内容とを対応づけて記憶する制限テーブルと、を備え、前記制御部は、前記操作部により操作入力が受け付けられた場合に、当該操作入力に対応する前記ベッド装置の動作と、前記ベッド装置の状態とが前記制限テーブルに含まれているときには、前記制限テーブルに従って前記ベッド動作を停止することを構成とする第３のベッド装置。
【００７８】
前記制御部は、ベッド動作が停止している場合に、前記操作者からの確認があったときは、停止を解除し、ベッド動作を継続することを構成とする上述した第１のベッド装置から第３のベッド装置の何れかに記載の第４のベッド装置。
【００７９】
操作者に注意喚起を報知する報知手段を更に有し、前記制限テーブルには、前記制限内容として、前記注意喚起を報知するか否かが記憶されており、前記制御部は、前記ベッド動作を停止する場合に、前記報知手段により、前記操作者に注意喚起を報知することを構成とする上述した第１のベッド装置から第４のベッド装置の何れかに記載の第５のベッド装置。
【符号の説明】
【００８０】
１  ベッド装置
１００  制御部
１１０  状態検出部
１２０  位置検出部
１３０  操作部
１４０  報知部
１５０  ベッド制御部
１６０  記憶部
１６２、１６４、１６６  制御テーブル
【図１】
2019022807.tif 000003
【図２】
2019022807.tif 000004
【図３】
2019022807.tif 000005
【図４】
2019022807.tif 000006
【図５】
2019022807.tif 000007
【図６】
2019022807.tif 000008
【図７】
2019022807.tif 000009
【図８】
2019022807.tif 000010
【図９】
2019022807.tif 000011
【図１０】
2019022807.tif 000012
【図１１】
2019022807.tif 000013
【図１２】
2019022807.tif 000014